(57)【要約】【課題】ティッシュペーパー箱において、ペーパー取り出し口に設けられている合成樹脂フィルムを容易に剥がすことができるようにして、紙類とプラスチック類との分別収集、資源の再利用に貢献できるティッシュペーパー箱の提供を課題とする。【解決手段】ペーパー取り出し口を形成するために設けられているミシン目の周囲に、更にミシン目を形成して、フィルムが接着されている部位の厚紙を容易に引き剥がせるようにし、フィルムを剥がしやすくしたことを特徴とするティッシュペーパー箱を発明した。【選択図】図１
2005170401.tif 000002
【特許請求の範囲】
【請求項１】
ティッシュペーパー箱の上面部において、ペーパー取り出し口を形成するために設けられているミシン目の外側であって、更に該上面部の裏面に接着されている合成樹脂フィルムののりしろ部分よりも外側である位置に、指挿入孔形成のための切り目を一部含むミシン目による外周を形成することによって、合成樹脂フィルムが接着されている部位の厚紙を引き剥がすことができるように構成して、該合成樹脂フィルムを容易に剥がすことができるようにしたことを特徴とするティッシュペーパー箱。
【請求項２】
請求項１に記載のティッシュペーパー箱の、合成樹脂フィルムを剥がすために形成したミシン目の一部分の辺をミシン目としないで、折り目としたことを特徴とするティッシュペーパー箱。
【請求項３】
請求項１及び請求項２に記載のティッシュペーパー箱の、ペーパー取り出し口を形成するためのミシン目を破るきっかけとして設けられる指挿入部を１箇所のみとし、該指挿入部の反対側の位置にフィルムを剥がすためのミシン目を破るきっかけとする指挿入部を１箇所のみ設けたことを特徴とするティッシュペーパー箱。
【請求項４】
請求項１・請求項２・請求項３に記載のティッシュペーパー箱の、合成樹脂フィルムを剥がすためのミシン目を破るきっかけとする指挿入孔を、木口面の上部に設けたことを特徴とするティッシュペーパー箱。
【発明の詳細な説明】
【技術分野】
【０００１】
本発明は、ティッシュペーパー収納箱に関する。
【背景技術】
【０００２】
環境問題が重要視されている今日、資源再利用等の目的でごみの分別収集が各自治体で実施され、その輪は急激に広がっている。ティッシュペーパーの使用を終えた後の空き箱も、本体の大部分を占める紙部とペーパー取り出し口に設けられている合成樹脂フィルム部とに分別してごみに出すことが求められている。しかし、現在提供されているティッシュペーパー箱のほとんどは、フィルムを剥がす際に困難な作業を伴うため、多くの人々は分別せずフィルムを付けたまま一般家庭ごみとして出しているため、紙類再利用の大きな障害となっている現状にある。分別している少数の人々は、組み立てられた箱を解き、筒状にした中に手を差し入れてフィルムを指先で摘んで引き剥がしているのが通常である。この作業は非常に面倒で、フィルムが破れてうまく剥がれなかったり、時には紙の縁で手を傷つけたりする場合もある。
【特許文献１】特開２０００−２８１１５５号公報
【発明の開示】
【発明が解決しようとする課題】
【０００３】
本発明は、上記の問題を解決することを目的としてなされたもので、紙製の箱本体からプラスチック類のフィルムを容易に剥がすことができるように構成し、ごみの分別回収及び資源再利用の推進、ひいては環境問題の解決に寄与するためのティッシュペーパー箱を提供しようとするものである。
【課題を解決するための手段】
【０００４】
ティッシュペーパー箱の上面部において、ペーパー取り出し口を形成するために設けられているミシン目の外側であって、更に該上面部の裏面に接着されている合成樹脂フィルムののりしろ部分よりも外側である位置に、指挿入孔形成のための切り目を一部含むミシン目によって外周を形成することによって、合成樹脂フィルムが接着されている部位の厚紙を引き剥がすことができるように構成して、該合成樹脂フィルムを容易に剥がすことができるようにしたことを特徴とするティッシュペーパー箱を提供する。
【０００５】
更に、上記０００４に記載のティッシュペーパー箱の、合成樹脂フィルムを剥がしやすくするために形成したミシン目の一部分の辺をミシン目としないで、折り目としたことを特徴とするティッシュペーパー箱を提供する。
【０００６】
更に、０００４及び０００５に記載のティッシュペーパー箱の、ペーパー取り出し口を形成するためのミシン目を破るきっかけとして設けられる指挿入部を１箇所のみとし、該指挿入部の反対側の位置にフィルムを剥がすためのミシン目を破るきっかけとする指挿入部を１箇所のみ設けたことを特徴とするティッシュペーパー箱を提供する。
【０００７】
更に、上記０００４・０００５・０００６に記載のティッシュペーパー箱において、合成樹脂フィルムを剥がすためのミシン目を破るきっかけとする指挿入孔を、木口面の上部に設けたことを特徴とするティッシュペーパー箱を提供する。
【発明の効果】
【０００８】
ティッシュペーパーを使い終えて空き箱を廃棄する際には、箱の上面部に形成したミシン目に沿ってフィルムが接着されている部位を引き剥がせば、フィルム部を容易に引き剥がすことができるようになる。よって、従来に比較すると格段に簡便な作業によって、紙類とプラスチック類とに分別して資源回収に出すことができるようになる。このことによって、ごみの分別回収を推進させ、資源の再利用、環境保護に多大な貢献をもたらすことになる。ひいては、製品を提供する企業にとっては、積極的に環境保護に取り組む企業としてのイメージアップも図ることができる。
【発明を実施するための最良の形態】
【０００９】
本発明の最良と思われる実施の形態を図とともに説明する。図１は、本発明である請求項３に記載のティッシュペーパー箱の実施例を示す斜視図である。２は従来からペーパー取り出し口を形成するために設けられているミシン目である。該ミシン目を囲むように該ミシン目の外側１０mmから２０mmの範囲で、およそ長楕円形乃至長方形状にミシン目４を設け、その一部分はミシン目としないで折り目５を施す。この際に肝心な点は、上面部の裏面を表した図２に示すように合成樹脂フィルムを接着しているのりしろ部８よりも必ず外側にミシン目を形成することである。
【００１０】
さらに、使用を開始する際にペーパー取り出し口を形成するためのミシン目を破るきっかけとして、従来は指挿入部を２箇所設けているのが通常であったものを、請求項３に記載のティッシュペーパー箱では上面部の強度が弱まるのを防ぐために図１の３のように１箇所のみ設ける。そして、使用を終えてフィルムを剥がす際のミシン目を破るきっかけとする指挿入部６を上記３の反対側に設ける。図３は、箱が空になり、フィルムを剥がす目的で設けられたミシン目に従って、フィルム接着部位を引き剥がした状態を示す模式図である。尚、消費者が使用開始にあたり、誤ってフィルムを剥がすためのミシン目を破ってしまうことを防止するため、ペーパー取り出し口形成のためのミシン目の内側の面、フィルムを剥がすためのミシン目の内側の面、及び周囲の上面部の面とを色分けして印刷し、各２箇所の指挿入部には、使い始め、使い終わったら、等の説明文を記載するとよい。
【実施例】
【００１１】
合成樹脂フィルムを剥がす目的でもうけるミシン目は、周囲にぐるりと全辺にわたって形成してもよい。図４は、本発明の請求項１に記載したティッシュペーパー箱の１実施例を示すものである。
【００１２】
合成樹脂フィルムを剥がすためのミシン目を破るきっかけとする指挿入孔６は、ティッシュペーパー箱の木口面の上部に設けてもよい。図５は、請求項４に記載したティッシュペーパー箱の１実施例を示すものである。
【図面の簡単な説明】
【００１３】
【図１】請求項３に記載の１実施例を示すティッシュペーパー箱の斜視図である。
【図２】図１に示した箱の上面部裏面の斜視図である。
【図３】フィルムを剥がすためのミシン目を破って、フィルム接着部位を引き剥がした状態を示す模式図である。
【図４】請求項１に記載の１実施例を示すティッシュペーパー箱の斜視図である。
【図５】請求項４に記載の１実施例を示すティッシュペーパー箱の斜視図である。
【符号の説明】
【００１４】
１  上面部    
２  ペーパー取り出し口形成の目的で設けられたミシン目  
３  ペーパー取り出し口形成を目的とする指挿入部  
４  フィルムを剥がす目的で設けられたミシン目
５  折り目
６  フィルムを剥がす目的で設けられた指挿入部
７  合成樹脂フィルム
８  合成樹脂フィルム接着のりしろ
９  木口面
【図１】
2005170401.tif 000003
【図２】
2005170401.tif 000004
【図３】
2005170401.tif 000005
【図４】
2005170401.tif 000006
【図５】
2005170401.tif 000007